(57)【要約】【課題】使い勝手が良く、設置上の制約を受けにくい。【解決手段】洗面ボール６と、この洗面ボール６に水を供給するシャワーヘッド１２および開閉栓１４と、洗面ボール６に対してシャワーヘッド１２および開閉栓１４を挟む位置に設けられる用品載置台２１とを備える。さらに、シャワーヘッド１２および開閉栓１４は、洗面ボール６の奥側上縁に近い位置に設けられ、用品載置台２１はシャワーヘッド１２および開閉栓１４に面する側に凹み２３を有するとともに、シャワーヘッド１２および開閉栓１４は用品載置台の凹み２３内に位置する。また、用品載置台２１の下端と洗面ボールの上面８との間に隙間を設ける。【選択図】        図１
2004350800.tif 000002
【特許請求の範囲】
【請求項１】
洗面ボールと、該洗面ボールに水を供給する水供給手段と、前記洗面ボールに対して前記水供給手段を挟む位置に設けられる用品載置台とを備え、前記水供給手段は前記洗面ボールの奥側上縁に近い位置に設けられ、前記用品載置台は前記水供給手段に面する側に凹みを有するとともに、前記水供給手段の少なくとも一部は前記用品載置台の前記凹み内に位置してなる洗面化粧台。
【発明の詳細な説明】
【０００１】
【発明の属する技術分野】
本発明は、一般家庭用や業務用として利用可能な洗面化粧台に関するものである。
【０００２】
【従来の技術】
従来の洗面化粧台としては、たとえば洗面台に取り付けられた洗面ボールの奥側に開閉栓が設けられる（特許文献１）。このような洗面台に化粧用具を載置する台（カウンター）を設ける場合には開閉栓の後側に設けることになる。また、別の洗面化粧台として、洗面台の奥側上方にミラーキャビネットを設け、このミラーキャビネットに化粧用具を載置できるようにしたものが知られている（特許文献２）。
【０００３】
【特許文献１】
特開２００１−３５３０８７号公報（第３頁〜第４頁、図１）
【特許文献２】
特開２０００−１２６０５１号公報（第２頁〜第３頁、図８）
【０００４】
【発明が解決しようとする課題】
最近の傾向として生活様式の多様化とともに洗面化粧台は大型化する傾向にある。これにともない洗面台やミラーキャビネットも大型化する。洗面台やミラーキャビネットの大型化は、これによる豪華さや空間的余裕を発生するが、一方では十分な設計と配慮を行わないと、かえって使い勝手の悪い部分が発生することになりかねない。
【０００５】
たとえば、先に記した洗面化粧台において、開閉栓の奥側にカウンターを設ける場合、洗面台の手前先端とカウンターの後端との距離が大きくなり、カウンターに置いたものが取りにくくなることや、洗面化粧台自体の奥行き寸法が大きくなるので設置する場所の制約もでてくる。また、先に記した洗面台の奥側上方にミラーキャビネットを設けたものは、洗面ボールまたは洗面台の手前先端とミラーキャビネットとの距離が小さいので、洗顔などのときに身体の一部が当るなどのおそれがあり、使用に当っては注意をすることになる。
【０００６】
本発明は、使い勝手が良く、設置上の制約を受けにくいことを課題とする。
【０００７】
【課題を解決するための手段】
上記課題を解決するため、本発明は、洗面ボールと、この洗面ボールに水を供給する水供給手段と、洗面ボールに対して水供給手段を挟む位置に設けられる用品載置台（またはカウンター）とを備える。さらに、水供給手段は洗面ボールの奥側上縁に近い位置に設けられ、用品載置台は水供給手段に面する側に凹みを有するとともに、水供給手段の少なくとも一部は用品載置台の凹み内に位置してなることを特徴とする。
【０００８】
このようにすることにより、用品載置台は洗面ボールに対して水供給手段を挟む位置に設けられる。さらに、用品載置台は水供給手段に面する側に凹みを有する。そして、水供給手段の少なくとも一部は用品載置台の凹み内に位置するので、洗面ボールの前端と用品載置台の後端との距離は小さく、洗面化粧台としての奥行き寸法が小さくて済む。したがって、使い勝手が良く、設置上の制約を受けにくい。
【０００９】
次に本発明を構成する各要件についてさらに詳しく説明する。本発明の洗面化粧台は、集合住宅や個別住宅の一般用あるいは事務所、理髪店や美容院などの業務用として利用可能である。本洗面化粧台は、洗面ボールに水を供給する水供給手段の後側に用品載置台を設けるものに好適に利用できる。
【００１０】
水供給手段は、洗面ボールの奥側上縁近傍で、洗面ボールの略上面に立設されるシャワーヘッド、開閉栓または蛇口などである。
【００１１】
用品載置台は、特に化粧用品を載置するに好適な台である。洗顔時の水滴がかかりにくいように、洗面ボールの上面から用品載置台の上面までの高さは適宜のものとする。さらに、用品載置台の下端は、洗面ボールの上面から離れて位置すると良い。こうすることにより、用品載置台の前壁に付着した水が洗面ボールの上に落下し洗面ボールから排出されるので水の吐けが良い。
【００１２】
用品載置台の横断面形状とその大きさは、水供給手段の少なくとも一部が配置できる形状と大きさであれば特に限定されないが、円弧状、コの字状、その他の適宜の形状とする。用品載置台の片側または両側には引出しを設けても良いが、この引出しは用品載置台の一部として形成されても良いし、下記のミラーキャビネットの一部として形成されても良い。
【００１３】
洗面ボールを設ける洗面台の後側（または奥側）上方にミラーキャビネットを設けても良い。この場合、鏡は、一つまたは二つ以上、たとえば用品載置台の奥側上方に一つまたは用品載置台の奥側上方および片側に合計二つあるいは奥側上方および両側に合計三つ設けても良い。三つの鏡を設ける場合は３面鏡として使用できる。また、この場合、中央の鏡の両側がミラー扉としても良い。ミラー扉の後側には収納棚を設けると良いが、収納棚は鏡の裏面に設けても良い。また、洗面台は、洗面ボールが一つでも良いし、二つまたは複数を並列させて設けても良い。
【００１４】
【発明の実施の形態】
以下、本発明に係る洗面化粧台の実施形態を図面に基づいて詳細に説明する。なお、図１〜５において、同一または同等部分には同一符号を付けて示す。
【００１５】
図１は、本発明に係る洗面化粧台の一実施形態を示す斜視図である。図２は、図１の実施形態の正面図である。図３は、図１の実施形態の側面図である。図１に示すように、本実施形態の洗面化粧台１は、たとえば一般住宅に使用されるもので、洗面台３と、この洗面台３の後側上に設けられる用品載置台（またはカウンター）２１と、この用品載置台２１の両側から上に設けられるミラーキャビネット２５とを備える。また、ミラーキャビネット２５の上には照明装置３３、ウォールキャビネット３６を備える。
【００１６】
洗面台３は、箱状の本体５と、この本体５の上に設けられる洗面ボール６と、この洗面ボール６の奥側上縁に近い位置に立設されるシャワーヘッド（水供給手段）１２および開閉栓（水供給手段）１４とを有する。洗面ボール６は洗面台３の上面８を形成する袖板９を含む。袖板９は洗面ボール６の両側に設けられても良いし、片側だけに設けられても良い。また、本実施形態においては、本体前面左側の上に位置する二つの引出し小１６と、この下に位置する引出し中１７、本体前面右側に位置する上下の二つの引出し大１８が、それぞれ設けられるが、これに限定されることはない。各引出しには取手１９が設けられる。洗面台３の大きさは、たとえば幅１２００ｍｍ×高さ７５０ｍｍ×奥行き６００ｍｍである。
【００１７】
用品載置台２１は、洗面ボール６に対してシャワーヘッド１２および開閉栓１４を挟む位置に設けられる。用品載置台２１の洗面ボール上面８からの高さは、洗顔時の水滴がかかりにくいように適宜の寸法、たとえば２００ｍｍとする。さらに、用品載置台の下端２４は、洗面ボールの上面８から離れるように、たとえば用品載置台の下端２４と洗面ボールの上面８との距離が３０ｍｍとなるように形成される。さらに、図１においては用品載置台２１の両側にミラーキャビネットの下部に設けられる引出し２９が位置するが、引出し２９は用品載置台２１の片側のみでも良い。用品載置台２１の大きさは、凡そ幅６００ｍｍ×奥行き１４５ｍｍである。
【００１８】
図４は、図２のＡ−Ａ線断面図である。用品載置台２１はシャワーヘッド１２および開閉栓１４に面する側に凹み２３を有するとともに、これらシャワーヘッド１２および開閉栓１４の洗面台３への取り付け位置は凹み２３内に位置する。用品載置台の凹み２３の横断面形状は、円弧状である。凹み２３の寸法は１１５ｍｍ、その幅は、略洗面ボール６の幅に相当する。
【００１９】
図５は、図２のＢ−Ｂ線断面図である。ミラーキャビネットの本体２６は、背面板２７と、この背面板２７の両側に設けられるキャビネット２８とを有する。背面板２７の中央には中央鏡３０が固定され、キャビネット２８の前面にはミラー扉３１が取り付けられる。キャビネット２８の内部には、複数の棚が設けられる。
【００２０】
さらに、図１に示すように、本体２６は、キャビネット２８の下に引出し部２９を有する。引出し部２９の間に用品載置台２１が位置する。引出し部２９には引出しが設けられる。
【００２１】
ミラー扉３１は、中央鏡３０側の縁近傍に設けられる縦軸に対して回転可能である。ミラー扉３１をこの縦軸の周りに回転させることにより中央鏡３０と二つのミラー扉３１は三面鏡となる。ミラーキャビネット２５の大きさは、たとえば幅１２００ｍｍ×高さ１１２０ｍｍ×奥行き１５０ｍｍである。ミラーキャビネット２５の上部には下方を照射可能な照明装置３３が設けられる。照明装置の前先端位置は略下記ウォールキャビネット３６の前面位置にある。
【００２２】
ウォールキャビネット３６は、照明装置３３の上に設けられる。ウォールキャビネット３６は、各種物品を収納するもので、前面が開放する箱形の本体の内部には固定棚が設けられる。ウォールキャビネット３６の正面には扉４０を有する。また、各扉には取手４２が設けられる。３８と、本体の前面に取り付けられる扉４０とを有する。
【００２３】
以上の構造を有する本実施形態の洗面化粧台１の作用について図１を使用して説明する。用品載置台２１は洗面ボール６に対してシャワーヘッド１２および開閉栓１４を挟む位置に設けられる。さらに、用品載置台２１はてシャワーヘッド１２および開閉栓１４に面する側に凹み２３を有する。シャワーヘッド１２および開閉栓１４の取り付け位置は用品載置台の凹み２３内に位置するので、シャワーヘッド１２および開閉栓１４の後側に用品載置台２１を設けても、洗面台３の前端と用品載置台２１の後端との距離は小さくなり、洗面化粧台１としての奥行き寸法が小さくて済む。したがって、使い勝手が良く、設置上の制約を受けにくい。
【００２４】
さらに、用品載置台の下端２４が洗面ボールの上面８から離れることにより、用品載置台２１に付着した水が洗面ボール６の上に落下し、洗面ボール６の排水口７から排出されるので水の吐けが良い。
【００２５】
以上この発明を図示の実施形態について詳しく説明したが、それを以ってこの発明をそれらの実施形態のみに限定するものではなく、この発明の精神を逸脱せずして種々改変を加えて多種多様の変形をなし得ることは云うまでもない。
【００２６】
【発明の効果】
本発明によれば、用品載置台は凹みを有し、水供給手段の少なくとも一部は用品載置台の凹み内に位置するので、使い勝手が良く、設置上の制約を受けにくい。
【図面の簡単な説明】
【図１】本発明に係る洗面化粧台の一実施形態を示す斜視図である。
【図２】図１の実施形態の正面図である。
【図３】図１の実施形態の側面図である。
【図４】図２のＡ−Ａ線断面図である。
【図５】図２のＢ−Ｂ線断面図である。
【符号の説明】
１  洗面化粧台
６  洗面ボール
８  上面
１２  シャワーヘッド（水供給手段）
１４  開閉栓（水供給手段）
２１  用品載置台（またはカウンター）
２３  凹み
【図１】
2004350800.tif 000003
【図２】
2004350800.tif 000004
【図３】
2004350800.tif 000005
【図４】
2004350800.tif 000006
【図５】
2004350800.tif 000007